(57)【要約】【課題】原稿載置面内の指標部（原稿スケール）から離れた所定点が原稿の隅を合わすべき基準点とされる場合であっても、その基準点（所定点）に対する原稿の位置合わせを容易に行うことが可能な画像読取装置を提供する。【解決手段】光出射部２０は、光出射部２０から出射される線状光の載置読取用コンタクトガラス２２に対する照射領域と所定点Ｐ２とが重なるように副走査方向に移動し、載置読取用コンタクトガラス２２に向けて線状光を出射する。【選択図】図７
2014216924.tif 000002
【特許請求の範囲】
【請求項１】
原稿が載置される原稿載置面を有するコンタクトガラスと、
前記原稿載置面の主走査方向および副走査方向に延びる辺に沿って配置され、前記原稿載置面内において原稿の隅を合わすべき予め定められた基準点に原稿の隅を合わせるときの指標となる指標部と、
前記原稿載置面側とは反対側に配置され、前記原稿載置面上に載置された原稿の前記原稿載置面に向く面を読み取る読取部と、
前記原稿載置面側とは反対側において前記副走査方向に移動可能に保持され、前記主走査方向に延びる線状光を前記コンタクトガラスに向けて出射する光出射部と、を備え、
前記原稿載置面内の前記指標部から離れた所定点を前記基準点とする場合、原稿の読み取りに先立って、
前記光出射部は、前記光出射部から出射される前記線状光の前記コンタクトガラスに対する照射領域と前記所定点とが重なるように前記副走査方向に移動し、前記コンタクトガラスに向けて前記線状光を出射することを特徴とする画像読取装置。
【請求項２】
前記原稿載置面上に載置された原稿を読み取るとき、
前記光出射部は、前記原稿載置面上に原稿が載置された前記コンタクトガラスに向けて前記線状光を出射し、
前記読取部は、前記原稿で反射された光を受光することによって原稿を読み取ることを特徴とする請求項１に記載の画像読取装置。
【請求項３】
前記光出射部は、光源と、前記主走査方向に延びるように形成され、前記光源の光を前記線状光に変換して前記コンタクトガラスに向けて出射する導光体と、を含み、
前記導光体が前記光源の光を前記線状光に変換して前記コンタクトガラスに向けて出射することを特徴とする請求項１または２に記載の画像読取装置。
【請求項４】
前記光源は、前記導光体の前記主走査方向の一方端部側および他方端部側にそれぞれ配置され、
前記導光体は、前記所定点の前記主走査方向の位置に対応する位置で分割されており、
原稿の読み取りに先立って、前記光出射部から出射される前記線状光の前記コンタクトガラスに対する照射領域と前記所定点とが重なるように前記光出射部が前記副走査方向に移動したとき、
前記導光体の前記主走査方向の一方端部側に配置された前記光源および他方端部側に配置された前記光源のうち、いずれか１つの前記光源が発光する一方で、他の前記光源は発光しないことを特徴とする請求項３に記載の画像読取装置。
【請求項５】
請求項１〜４のいずれか１項に記載の画像読取装置を備えた画像形成装置。
【発明の詳細な説明】
【技術分野】
【０００１】
本発明は、画像読取装置および画像形成装置に関する。
【背景技術】
【０００２】
従来から、原稿を読み取って画像データを生成する画像読取装置が知られている。このような画像読取装置は、たとえば、用紙に画像を印刷する画像形成装置に装着される。また、画像読取装置は、原稿が載置される原稿載置面を有するコンタクトガラス、原稿に光を照射するランプ、および、原稿で反射された光を受光して原稿を読み取るイメージセンサーなどを備える。
【０００３】
原稿載置面の主走査方向および副走査方向に延びる一対の辺には、原稿載置面内において原稿の載置位置を規定するための原稿スケールが配置される（たとえば、特許文献１参照）。原稿スケールは、原稿載置面内において原稿の隅を合わすべき予め定められた基準点に原稿の隅を合わせるときの指標となる。たとえば、主走査方向に延びる原稿スケールおよび副走査方向に延びる原稿スケールが互いに交差する交差点が基準点とされる。この場合、原稿スケールに原稿を当接させることにより、容易に、原稿の隅を基準点に合わせることができる。
【先行技術文献】
【特許文献】
【０００４】
【特許文献１】特開２００５−４９７３７号公報
【発明の概要】
【発明が解決しようとする課題】
【０００５】
画像読取装置によっては、原稿載置面内の原稿スケールから離れた所定点を基準点（原稿の隅を合わすべき点）として原稿の読み取りを行う特殊モードが搭載されたものがある。このような特殊モードを搭載した画像読取装置では、特殊モード用の基準点（所定点）をユーザーに認識させるため、たとえば、特殊モード用の基準点の主走査方向および副走査方向の各位置を示す目印が原稿スケールに付される。しかし、特殊モードで原稿の読み取りを実行したいユーザーにとっては、特殊モード用の基準点（所定点）の位置を示す目印が原稿スケールに付されていたとしても、特殊モード用の基準点（所定点）が原稿スケールから離れているので、特殊モード用の基準点（所定点）に原稿の隅を合わせ難い。
【０００６】
本発明は、上記課題を解決するためになされたものであり、原稿載置面内の指標部（原稿スケール）から離れた所定点が原稿の隅を合わすべき基準点とされる場合であっても、その基準点（所定点）に対する原稿の位置合わせを容易に行うことが可能な画像読取装置および画像形成装置を提供することを目的とする。
【課題を解決するための手段】
【０００７】
上記目的を達成するために、本発明の画像読取装置は、原稿が載置される原稿載置面を有するコンタクトガラスと、原稿載置面の主走査方向および副走査方向に延びる辺に沿って配置され、原稿載置面内において原稿の隅を合わすべき予め定められた基準点に原稿の隅を合わせるときの指標となる指標部と、原稿載置面側とは反対側に配置され、原稿載置面上に載置された原稿の原稿載置面に向く面を読み取る読取部と、原稿載置面側とは反対側において副走査方向に移動可能に保持され、主走査方向に延びる線状光をコンタクトガラスに向けて出射する光出射部と、を備えている。そして、原稿載置面内の指標部から離れた所定点を基準点とする場合、原稿の読み取りに先立って、光出射部は、光出射部から出射される線状光のコンタクトガラスに対する照射領域と所定点とが重なるように副走査方向に移動し、コンタクトガラスに向けて線状光を出射する。
【０００８】
本発明の構成では、原稿載置面内の指標部から離れた所定点が基準点（原稿の隅を合わすべき点）とされる場合に、原稿の読み取りに先立って、コンタクトガラスの基準点（所定点）に対応する位置を含む主走査方向に延びる領域が線状光で照射される。したがって、原稿載置面内に現れる線状光（コンタクトガラスを透過した線状光）によって、原稿載置面内の指標部から離れた基準点（所定点）の副走査方向の位置が示される。その結果、原稿載置面内の指標部から離れた基準点（所定点）に対する原稿の位置合わせを容易に行うことができる。
【発明の効果】
【０００９】
本発明によれば、原稿載置面内の指標部から離れた所定点が原稿の隅を合わすべき基準点とされる場合であっても、その基準点（所定点）に対する原稿の位置合わせを容易に行うことができる。
【図面の簡単な説明】
【００１０】
【図１】本発明の一実施形態による画像形成装置の全体構成図
【図２】本発明の一実施形態による画像読取装置の全体構成図
【図３】図２に示した画像読取装置の画像読取部に装着されたＣＩＳユニット（光出射部）の構成図
【図４】図２に示した画像読取装置の画像読取部をコンタクトガラスの原稿載置面側から見た場合の図（原稿載置面内における基準点の位置を説明するための図）
【図５】図１に示した画像形成装置のハードウェア構成を説明するためのブロック図
【図６】図２に示した画像読取装置のハードウェア構成を説明するためのブロック図
【図７】図３に示したＣＩＳユニット（光出射部）を用いて原稿載置面内の基準点の位置を示すときの線状光の照射領域を説明するための図
【図８】図２に示した画像読取装置において原稿載置面内の基準点の位置を線状光によって示しているときのＣＩＳユニット（光出射部）の副走査方向の位置を説明するための図
【図９】図３に示したＣＩＳユニット（光出射部）において導光体を基準点の主走査方向の位置に対応する位置で分割した場合の図
【図１０】図９に示したＣＩＳユニット（光出射部）を用いて原稿載置面内の基準点の位置を示すときの線状光の照射領域を説明するための図
【図１１】図９に示したＣＩＳユニット（光出射部）を用いて原稿載置面内の基準点の位置を示すときの線状光の照射領域を説明するための図
【図１２】図２に示した画像読取装置において原稿載置面内の指標部から離れた所定点を基準点として原稿の読み取りを行うときの流れを説明するためのフローチャート
【図１３】図３に示したＣＩＳユニットに原稿載置面内の基準点の位置を示すための専用の光出射部を別途設けた場合の図
【発明を実施するための形態】
【００１１】
本発明の一実施形態による画像読取装置を備えた画像形成装置について、コピージョブの実行が可能な画像形成装置を例にとって説明する。
【００１２】
（画像形成装置の全体構成）
図１に示すように、本実施形態の画像形成装置１００は、本体上方に配置された画像読取装置２００を備える。この画像読取装置２００は、原稿搬送部１０１と画像読取部１０２とを含む。なお、画像読取装置２００の構成については後に詳細に説明する。
【００１３】
また、画像形成装置１００は、給紙部１０３、用紙搬送部１０４、画像形成部１０５、中間転写部１０６および定着部１０７を備える。
【００１４】
給紙部１０３は、用紙Ｐが収容されるカセット３１を含み、カセット３１内の用紙Ｐを用紙搬送路４１に供給する。給紙部１０３には、カセット３１内の用紙Ｐを１枚ずつ引き出すためのピックアップローラー３２が設けられている。また、給紙部１０３には、カセット３１内から引き出される用紙Ｐの重送を抑制しつつ用紙Ｐを用紙搬送路４１に供給するための給紙ローラー対３３が設けられている。用紙搬送部１０４は、給紙部１０３から供給された用紙Ｐを用紙搬送路４１に沿って搬送し、印刷済みの用紙Ｐを排紙トレイ４２に導く。用紙搬送部１０４には、用紙搬送路４１に沿って用紙Ｐを搬送するための搬送ローラー対４３が設けられている。
【００１５】
画像形成部１０５は、ブラックのトナー像を形成するためのトナー像形成部５１Ｂｋ、イエローのトナー像を形成するためのトナー像形成部５１Ｙ、シアンのトナー像を形成するためのトナー像形成部５１Ｃ、および、マゼンタのトナー像を形成するためのトナー像形成部５１Ｍ（以下、総じて単にトナー像形成部５１と称する場合がある）を含む。トナー像形成部５１は、感光体ドラム１、帯電装置２、現像装置３およびドラム清掃装置４を有する。また、画像形成部１０５は、感光体ドラム１の表面に静電潜像を形成するための露光部５２を含む。
【００１６】
中間転写部１０６は、無端状の中間転写ベルト６１と、ブラック、イエロー、シアンおよびマゼンタの各色に対応する１次転写ローラー６２Ｂｋ、６２Ｙ、６３Ｃおよび６４Ｍ（以下、総じて単に１次転写ローラー６２と称する場合がある）とを含む。
【００１７】
また、中間転写部１０６は、駆動ローラー６３および従動ローラー６４を含む。駆動ローラー６３および従動ローラー６４は、１次転写ローラー６２と共に中間転写ベルト６１を張架する。さらに、中間転写部１０６は、駆動ローラー６３との間で中間転写ベルト６１を挟み込む２次転写ローラー６５を含む。
【００１８】
画像形成部１０５により形成された各色のトナー像（感光体ドラム１の表面のトナー像）は、１次転写ローラー６２に転写電圧が印加されることにより、順次、ずれなく重畳して中間転写ベルト６１に１次転写される。その後、中間転写ベルト６１に１次転写されたトナー像は、２次転写ローラー６５に転写電圧が印加されることより、用紙Ｐに２次転写される。２次転写の後、ベルト清掃装置６６によって中間転写ベルト６１の清掃が行われる。
【００１９】
定着部１０７は、用紙Ｐに転写されたトナー像を加熱・加圧して定着させる。この定着部１０７は、加熱ローラー７１および加圧ローラー７２を含む。加熱ローラー７１は、ヒーター７３を内蔵する。加圧ローラー７２は、加熱ローラー５１に圧接する。そして、トナー像が転写された用紙Ｐは、加熱ローラー７１と加圧ローラー７２との間に形成される定着ニップを通過することで、加熱・加圧される。これにより、用紙Ｐにトナー像が定着され、印刷が完了する。その後、印刷済みの用紙Ｐが排紙トレイ４２に排出される。
【００２０】
また、画像形成装置１００は、操作パネル１０８を備える。この操作パネル１０８は、たとえば、タッチパネル付きの液晶表示部８１を含む。そして、操作パネル１０８は、画像形成装置１００の状態を示すメッセージを表示したり、印刷設定値などの入力を受け付けるソフトキーを表示したりする。また、操作パネル１０８には、数値の入力を受け付けるテンキー８２や、ジョブ実行の開始指示を受け付けるスタートキー８３が設けられている。さらに、操作パネル１０８には、ＩＤコピーモードへの移行指示を受け付けるためのＩＤコピーキー８４が設けられている。なお、ＩＤコピーモードについては、後に詳細に説明する。
【００２１】
（画像読取装置の構成）
【００２２】
図２に示すように、原稿搬送部１０１は、原稿セットトレイ１１にセットされた原稿Ｄを引き出し、原稿搬送路１２を介して原稿排出トレイ１３に排出する。原稿搬送路１２には、原稿搬送方向の上流側から順に、原稿供給ローラー１４、原稿搬送ローラー対１５および原稿排出ローラー対１６が設けられている。そして、原稿セットトレイ１１にセットされた原稿Ｄは、原稿供給ローラー１４によって引き出され、原稿搬送ローラー対１５によって搬送される（後述する搬送読取用コンタクトガラス２２上に搬送される）。この後、原稿排出ローラー対１６によって、原稿排出トレイ１３に排出される。また、原稿搬送路１２の途中（後述する搬送読取用コンタクトガラス２２上）には、シェーディング補正で用いる白基準データを取得するための白基準板１７が設けられている。
【００２３】
画像読取部１０２は、画像読取部１０２のフレーム上方に嵌め込まれた搬送読取用コンタクトガラス２１および載置読取用コンタクトガラス２２を有する。搬送読取用コンタクトガラス２１は、フレーム上方の一方端部に配置される。載置読取用コンタクトガラス２２は、フレーム上方の中央部に配置される。載置読取用コンタクトガラス２２は本発明の「コンタクトガラス」に相当し、載置読取用コンタクトガラス２２の上方に向く面が原稿載置面２２ａとなる。
【００２４】
画像読取部１０２のフレーム内部（原稿載置面２２ａ側とは反対側）には、ＣＩＳユニットＣＵが設けられている。ＣＩＳユニットＣＵは、図２および図３に示すように、ＬＥＤランプ２３、導光体２４、結像レンズ２５、および、イメージセンサー２６によって構成され、副走査方向に移動可能に保持される。なお、ＬＥＤランプ２３および導光体２４を含む構造体は、本発明の「光出射部」に相当し、以下の説明では光出射部２０と称する場合がある。
【００２５】
ＬＥＤランプ２３は、赤色（Ｒ）の光を発光する赤色ＬＥＤ２３Ｒ、緑色（Ｇ）の光を発光する緑色ＬＥＤ２３Ｇおよび青色（Ｂ）の光を発光する青色ＬＥＤ２３Ｂを含む。なお、ＬＥＤランプ２３は、本発明の「光源」に相当する。
【００２６】
導光体２４は、主走査方向（図２の紙面に対して垂直な方向）に延びるように細長状に形成されている。そして、導光体２４の主走査方向の一方端部側および他方端部側に、ＬＥＤランプ２３が１つずつ配置される。
【００２７】
これにより、ＬＥＤランプ２３の光は、導光体２４の一方端部および他方端部から導光体２４内に導入される。そして、導光体２４は、その内部に導入した光を主走査方向に延びる線状光に変換して出射する。導光体２４から出射された線状光は、搬送読取用コンタクトガラス２１または載置読取用コンタクトガラス２２に向かって進行する。したがって、搬送読取用コンタクトガラス２１上に原稿Ｄが搬送されている場合には、搬送読取用コンタクトガラス２１を透過した光によって原稿Ｄが照射され、載置読取用コンタクトガラス２２上に原稿Ｄが載置されている場合には、載置読取用コンタクトガラス２２を透過した光によって原稿Ｄが照射される。
【００２８】
結像レンズ２５は、ロッドレンズアレイであり、主走査方向に沿って並べられた複数のロッドレンズを含む。そして、光出射部２０（ＬＥＤランプ２３および導光体２４のセット）は、結像レンズ２５の副走査方向（主走査方向と直交する方向）の片側に配置される。なお、結像レンズ２５の副走査方向の両側に、光出射部２０が１セットずつ配置されてもよい。
【００２９】
イメージセンサー２６は、結像レンズ２５の下方に配置される。また、イメージセンサー２６は、ＲＧＢ各色のラインセンサーを含む。このラインセンサーは、主走査方向にライン状に並ぶ複数の光電変換素子を有する。そして、イメージセンサー２６は、結像レンズ２５を介して、原稿Ｄで反射された反射光を受光する。イメージセンサー２６は、原稿Ｄからの反射光を受光すると、ライン単位で画素毎に光電変換して電荷を蓄積し、蓄積電荷に応じたアナログ信号を出力する。すなわち、イメージセンサー２６の画素毎のアナログ信号は、反射光の光量に応じて変動する。なお、イメージセンサー２６は、本発明の「読取部」に相当する。
【００３０】
また、ＣＩＳユニットＣＵは、ワイヤー２７の一端と連結される。このワイヤー２７の他端は、回転することでワイヤー２７を巻き取る巻取ドラム２８に連結されている。これにより、巻取ドラム２８が回転することによって、ＣＩＳユニットＣＵが副走査方向に移動する。なお、ＣＩＳユニットＣＵには複数本のワイヤー２７が連結され、複数本のワイヤー２７が画像読取部１０２のフレーム内部において架けまわされる。ただし、図２では、便宜上、ワイヤー２７を１本のみ図示している。
【００３１】
そして、搬送読取用コンタクトガラス２１上に搬送される原稿Ｄの読み取り時には、ＣＩＳユニットＣＵが搬送読取用コンタクトガラス２１の下方に移動し静止する。この後、原稿搬送部１０１が搬送読取用コンタクトガラス２１上に原稿Ｄを搬送する。このとき、搬送読取用コンタクトガラス２１上を通過する原稿Ｄに対して光出射部２０が線状光を照射し、原稿Ｄで反射された反射光の光電変換をイメージセンサー２６が連続して繰り返し行う。
【００３２】
一方で、載置読取用コンタクトガラス２２上に載置された原稿Ｄの読み取り時には、ＣＩＳユニットＣＵが副走査方向（正面から見て左から右に向かう方向）に移動する。そして、ＣＩＳユニットＣＵが副走査方向に移動している最中に、載置読取用コンタクトガラス２２上に載置された原稿Ｄに対して光出射部２０が線状光を照射し、原稿Ｄで反射された反射光の光電変換をイメージセンサー２６が連続して繰り返し行う。すなわち、イメージセンサー２６は、コンタクトガラス２２上に載置された原稿Ｄの原稿載置面２２ａに向く面を読み取る。
【００３３】
また、図４に示すように、原稿載置面２２ａの主走査方向に延びる一方の辺（上方から見て左側の辺）には、原稿載置面２２ａ内において原稿Ｄの載置位置を規定するための原稿スケール９１が配置される。また、原稿載置面２２ａの副走査方向に延びる一方の辺（上方から見て上側の辺）にも、原稿載置面２２ａ内における原稿Ｄの載置位置を規定するための原稿スケール９２が配置される。これら原稿スケール９１および９２は、原稿載置面２２ａ内において原稿Ｄの隅（上方から見て左上隅）を合わすべき予め定められた基準点ＳＰに原稿Ｄの隅を合わせるときの指標となる。すなわち、原稿スケール９１および９２は、本発明の「指標部」に相当する。
【００３４】
たとえば、通常のコピージョブでは、原稿スケール９１および９２が互いに交差する所定点Ｐ１が基準点ＳＰとされる。このため、ユーザーは、通常のコピージョブを実行するとき、原稿載置面２２ａ上に原稿Ｄを載置した後、原稿スケール９１および９２に原稿Ｄを当接させることにより、容易に、原稿Ｄの隅を所定点Ｐ１（基準点ＳＰ）に合わせることができる。
【００３５】
ここで、ＩＤコピーモードでのコピージョブでは、原稿載置面２２ａ内の原稿スケール９１および９２から離れた所定点Ｐ２が基準点ＳＰとされる。このため、原稿スケール９１には、ＩＤコピーモード用の基準点ＳＰ（所定点Ｐ２）の主走査方向の位置を示す目印９１ａが付されている。また、原稿スケール９２には、ＩＤコピーモード用の基準点ＳＰ（所定点Ｐ２）の副走査方向の位置を示す目印９２ａが付されている。すなわち、目印９１ａから副走査方向に延びる仮想線Ｌ１と目印９２ａから主走査方向に延びる仮想線Ｌ２とが交差する点がＩＤコピーモード用の基準点ＳＰ（所定点Ｐ２）となる。そして、ユーザーは、ＩＤコピーモードでコピージョブを実行するとき、原稿載置面２２ａ上に原稿Ｄを載置した後、目印９１ａおよび９２ａを確認しつつ原稿Ｄの隅をＩＤコピーモード用の基準点ＳＰ（所定点Ｐ２）に合わせる。なお、ＩＤコピーモードについては、後に詳細に説明する。
【００３６】
（画像形成装置のハードウェア構成）
図５に示すように、画像形成装置１００は、本体制御部１１０を備える。本体制御部１１０は、ＣＰＵ１１１、記憶部１１２および画像処理部１１３を含む。記憶部１１２は、ＲＯＭやＲＡＭなどであり、たとえば、各種のプログラムおよびデータがＲＯＭに記憶され、ＲＡＭに展開される。また、画像処理部１１３は、画像処理専用のＡＳＩＣやメモリーなどで構成され、画像データに対して、拡大／縮小、上下反転、濃度変換およびデータ形式変換などの各種画像処理を施す。
【００３７】
また、本体制御部１１０は、給紙部１０３、用紙搬送部１０４、画像形成部１０５、中間転写部１０６、定着部１０７および操作パネル１０８と接続される。そして、本体制御部１１０は、記憶部１１２に記憶された各種のプログラムおよびデータに基づき、各部の制御や演算などを行う。また、本体制御部１１０は、画像読取装置２００と接続される。
【００３８】
（画像読取装置のハードウェア構成）
図６に示すように、画像読取装置２００は、原稿Ｄの搬送動作および原稿Ｄの読取動作を制御する画像読取制御部２１０を備える。画像読取制御部２１０は、ＣＰＵ２１１および記憶部２１２を含み、本体制御部１１０から指示を受け、画像読取装置２００の各部を制御する。
【００３９】
具体的には、画像読取制御部２１０は、原稿供給ローラー１４、原稿搬送ローラー対１５および原稿排出ローラー対１６を回転させるための搬送モーターＭ１と接続される。そして、画像読取制御部２１０は、搬送モーターＭ１の駆動を制御し、原稿供給ローラー１４、原稿搬送ローラー対１５および原稿排出ローラー対１６を適切に回転させる。また、画像読取制御部２１０は、巻取ドラム２８を回転させるための走査モーターＭ２と接続される。そして、画像読取制御部２１０は、走査モーターＭ２の駆動を制御し、巻取ドラム２８を適切に回転させる（ＣＩＳユニットＣＵを副走査方向に適切に移動させる）。
【００４０】
また、画像読取制御部２１０は、ＬＥＤランプ２３（ＬＥＤ駆動部２１１）、イメージセンサー２６、アナログ処理部２１２、補正部２１３および画像メモリー２１４と接続されており、これら各部の動作を制御する。
【００４１】
ＬＥＤ駆動部２１１は、ＬＥＤランプ２３に電流を供給し、ＬＥＤランプ２３を点灯させる。アナログ処理部２１２は、増幅回路やＡ／Ｄ変換回路などを含む。そして、アナログ処理部２１２は、イメージセンサー２６のアナログ出力を増幅し、デジタルの画像データに変換して出力する。補正部２１３は、シェーディング補正などの各種補正を行う。画像メモリー２１４は、画像データを蓄積し、本体制御部１１０に転送する。
【００４２】
（ＩＤコピーモード）
ＩＤコピーモードというのは、免許証や保険証などのＩＤカード１０（図４参照）の両面を読み取り、ＩＤカード１０の両面の画像データを合成して１枚の用紙Ｐの同一面に印刷する特殊モードである。
【００４３】
ＩＤコピーモードでコピージョブを行うユーザーは、まず、ＩＤコピーキー８４（図１参照）を押下し、ＩＤコピーモードに移行させる（ＩＤコピーモードでのコピージョブの実行が可能な状態にする）。そして、図４に示すように、原稿載置面２２ａ内のＩＤコピーモード用の基準点ＳＰ（所定点Ｐ２）にＩＤカード１０の隅を合わせた後、スタートキー８３（図１参照）を押下する。これにより、ＩＤカード１０の一方面の読み取りが行われる。
【００４４】
続いて、ユーザーは、ＩＤカード１０の表裏を逆にする。そして、原稿載置面２２ａ内のＩＤコピーモード用の基準点ＳＰ（所定点Ｐ２）にＩＤカード１０の隅を合わせた後、再びスタートキー８３を押下する。これにより、ＩＤカード１０の他方面の読み取りが行われる。ＩＤカード１０の両面の読み取りが終わると、１枚の用紙Ｐの同一面にＩＤカード１０の両面の画像が印刷される。
【００４５】
ここで、原稿載置面２２ａ内の所定点Ｐ１にＩＤコピー１０の隅を合わせた状態（ＩＤカード１０を原稿スケール９１および９２に当接させた状態）でコピージョブを実行すると、ＩＤカード１０の外枠が画像として印刷されないことがある。しかし、場合によっては、ＩＤカード１０の外枠も画像として印刷された用紙Ｐの提出が要請される。したがって、ＩＤコピーモードでのコピージョブでは、原稿載置面２２ａ内の原稿スケール９１および９２から離れた所定点Ｐ２を基準点ＳＰとしている。ただし、原稿載置面２２ａ内の原稿スケール９１および９２から離れた所定点Ｐ２がＩＤコピーモード用の基準点ＳＰとされていると、ＩＤコピーモードでコピージョブを実行したいユーザーにとっては、ＩＤカード１０の隅をＩＤコピーモード用の基準点ＳＰ（所定位置Ｐ２）に合わせ難くなる。
【００４６】
このため、本実施形態では、原稿載置面２２ａ内の原稿スケール９１および９２から離れた所定点Ｐ２を基準点ＳＰとする場合（ＩＤコピーモードでコピージョブを実行する場合）、ＩＤカード１０の読み取りに先立って、ＩＤコピーモード用の基準点ＳＰ（所定点Ｐ２）をＣＩＳユニットＣＵからの出射光によってユーザーに示すようになっている。
【００４７】
具体的には、ＣＩＳユニットＣＵは、ユーザーがＩＤコピーキー８４を押下すると、図７および図８に示すように、光出射部２０（導光体２４）から出射される線状光の載置読取用コンタクトガラス２２に対する照射領域とＩＤコピーモード用の基準点ＳＰ（所定点Ｐ２）とが重なるように副走査方向に移動する。すなわち、光出射部２０（導光体２４）から出射される線状光の照射領域が仮想線Ｌ２に対応する領域と重なることになる。そして、光出射部２０（導光体２４）から出射される線状光の載置読取用コンタクトガラス２２に対する照射領域とＩＤコピーモード用の基準点ＳＰ（所定点Ｐ２）とが重なるように副走査方向に移動した状態で、ＬＥＤランプ２３が発光する。これにより、光出射部２０（導光体２４）から載置読取用コンタクトガラス２２に向けて線状光が出射される。
【００４８】
光出射部２０（導光体２４）から出射された線状光は、載置読取用コンタクトガラス２２のＩＤコピーモード用の基準点ＳＰ（所定点Ｐ２）に対応する位置を含む主走査方向に延びる領域を照射する。すなわち、光出射部２０（導光体２４）から出射された線状光が仮想線Ｌ２に対応する領域を照射する。これにより、原稿載置面２２ａ内に現れる線状光（載置読取用コンタクトガラス２２を透過した線状光）によってＩＤコピーモード用の基準点ＳＰ（所定点Ｐ２）の副走査方向の位置が示される。図７では、原稿載置面２２ａ内に現れる線状光をハッチングで示している。
【００４９】
ところで、図７に示した例では、ＩＤコピーモード用の基準点ＳＰ（所定点Ｐ２）の副走査方向の位置については光出射部２０（導光板２４）から出射される線状光によって示されるが、主走査方向の位置については目印９１ａで確認しなければならない。
【００５０】
このため、図９に示すように、ＩＤコピーモード用の基準点ＳＰ（所定点Ｐ２）の主走査方向の位置に対応する位置で導光体２４を分割してもよい。この構成では、導光体２４は、主走査方向の一方端部からＩＤコピーモード用の基準点ＳＰ（所定点Ｐ２）の主走査方向の位置に対応する位置に至るまで延びる第１部分２４ａと、主走査方向の他方端部からＩＤコピーモード用の基準点ＳＰ（所定点Ｐ２）の主走査方向の位置に対応する位置に至るまで延びる第２部分２４ｂと、を有することになる。そして、光出射部２０（導光体２４）から出射される線状光の載置読取用コンタクトガラス２２に対する照射領域とＩＤコピーモード用の基準点ＳＰ（所定点Ｐ２）とが重なるようにＣＩＳユニットＣＵが副走査方向に移動したとき、光出射部２０（導光体２４）の主走査方向の一方端部側に配置されたＬＥＤランプ２３が発光する。一方で、光出射部２０（導光体２４）の主走査方向の他方端部側に配置されたＬＥＤランプ２３は発光しない。すなわち、導光体２４の第１部分２４ａからは線状光が出射されるが、導光体２４の第２部分２４ｂからは線状光が出射されない。
【００５１】
これにより、図１０に示すように、原稿載置面２２ａ内に現れる線状光によってＩＤコピーモード用の基準点ＳＰ（所定点Ｐ２）の副走査方向の位置が示される。それに加えて、原稿載置面２２ａ内に現れる線状光の途切れている位置がＩＤコピーモード用の基準点ＳＰ（所定点Ｐ２）の主走査方向の位置と略一致するので、ＩＤコピーモード用の基準点ＳＰ（所定点Ｐ２）の主走査方向の位置も原稿載置面２２ａ内に現れる線状光によって示されることになる。図１０では、原稿載置面２２ａ内に現れる線状光をハッチングで示している。
【００５２】
また、このように導光体２４の第１部分２４ａからのみ線状光を出射させることが可能な場合（光出射部２０の主走査方向の一方端部側に配置されたＬＥＤランプ２３のみ発光させることが可能な場合）には、ＩＤカード１０の読み取り時に、導光体２４の第１部分２４ａからのみ線状光を出射させてＩＤカード１０を読み取ってもよい。
【００５３】
なお、光出射部２０（導光体２４）から出射される線状光の載置読取用コンタクトガラス２２に対する照射領域とＩＤコピーモード用の基準点ＳＰ（所定点Ｐ２）とが重なるようにＣＩＳユニットＣＵが副走査方向に移動したときに、光出射部２０（導光体２４）の主走査方向の他方端部側に配置されたＬＥＤランプ２３を発光させ、光出射部２０（導光体２４）の主走査方向の一方端部側に配置されたＬＥＤランプ２３は発光させないようにしてもよい。すなわち、導光体２４の第１部分２４ａからは線状光が出射されないようにし、導光体２４の第２部分２４ｂから線状光が出射されるようにしてもよい。この場合にも、図１１に示すように、原稿載置面２２ａ内に現れる線状光の途切れている位置がＩＤコピーモード用の基準点ＳＰ（所定点Ｐ２）の主走査方向の位置と略一致する。
【００５４】
以下に、図１２に示すフローチャートを参照して、ＩＤコピーモードでコピージョブを実行するときの流れについて説明する。図１２のフローチャートのスタートは、操作パネル１０８がＩＤコピーモードへの移行指示を受け付けたとき（ＩＤコピーキー８４が押下されたとき）である。
【００５５】
ステップＳ１において、主制御部１１０は、画像読取制御部２１０に指示し、光出射部２０（導光体２４）から出射される線状光の載置読取用コンタクトガラス２２に対する照射領域とＩＤコピーモード用の基準点ＳＰ（所定点Ｐ２）とが重なるようにＣＩＳユニットＣＵを副走査方向に移動させる。
【００５６】
ステップＳ２において、主制御部１１０は、画像読取制御部２１０に指示し、ＬＥＤランプ２３を点灯させる。これにより、図７に示したように、原稿載置面２２ａ内に現れる線状光（載置読取用コンタクトガラス２２を透過した線状光）によってＩＤコピーモード用の基準点ＳＰ（所定点Ｐ２）の副走査方向の位置が示される。このとき、原稿載置面２２ａ内に現れる線状光で示した位置にＩＤカード１０を載置するようユーザーに報知してもよい。このように構成する場合、たとえば、原稿載置面２２ａ内に現れる線状光で示した位置にＩＤカード１０を載置するよう報知するためのメッセージを操作パネル１０８（液晶表示部８１）に表示させる。
【００５７】
なお、導光体２４が第１部分２４ａと第２部分２４ｂとの２つに分割されている場合には、導光体２４の両端部側にそれぞれ配置されたＬＥＤランプ２３のうちの一方を点灯させ、他方は点灯させない（後述するステップＳ６も同様）。これにより、図１０および図１１に示したように、原稿載置面２２ａ内に現れる線状光によってＩＤコピーモード用の基準点ＳＰ（所定点Ｐ２）の副走査方向の位置が示され、さらに、ＩＤコピーモード用の基準点ＳＰ（所定点Ｐ２）の主走査方向の位置も原稿載置面２２ａ内に現れる線状光によって示される。
【００５８】
ステップＳ３において、主制御部１１０は、コピージョブの実行指示を操作パネル１０８が受け付けたか否か（スタートキー８３が押下されたか否か）を判断する。コピージョブの実行指示を受け付けた場合には、ステップＳ４に移行し、コピージョブの実行指示を受け付けていない場合には、ステップＳ３の判断を繰り返す。
【００５９】
ステップＳ４に移行すると、主制御部１１０は、画像読取制御部２１０に指示し、ＩＤカード１０の一方面（現時点で原稿載置面２２ａに向く面）の読み取りを行わせる。このとき、画像読取制御部２１０は、シェーディング補正などを行った後、ＩＤカード１０の一方面の読み取りを行って、ＩＤカード１０の一方面の画像データを画像メモリー２１４に蓄積する。
【００６０】
ステップＳ５において、主制御部１１０は、画像読取制御部２１０に指示し、光出射部２０（導光体２４）から出射される線状光の載置読取用コンタクトガラス２２に対する照射領域とＩＤコピーモード用の基準点ＳＰ（所定点Ｐ２）とが重なるようにＣＩＳユニットＣＵを副走査方向に移動させる。そして、ステップＳ６において、主制御部１１０は、画像読取制御部２１０に指示し、ＬＥＤランプ２３を点灯させる。
【００６１】
ステップＳ７において、主制御部１１０は、ＩＤカード１０の表裏を逆にするよう操作パネル１０８に報知させる。操作パネル１０８は、たとえば、ＩＤカード１０の表裏を逆にするよう促すメッセージを液晶表示部８１に表示させる。
【００６２】
ステップＳ８において、主制御部１１０は、コピージョブの実行指示を操作パネル１０８が受け付けたか否かを判断する。コピージョブの実行指示を受け付けた場合には、ステップＳ９に移行し、コピージョブの実行指示を受け付けていない場合には、ステップＳ８の判断を繰り返す。
【００６３】
ステップＳ９に移行すると、主制御部１１０は、画像読取制御部２１０に指示し、ＩＤカード１０の他方面（現時点で原稿載置面２２ａに向く面）の読み取りを行わせる。このとき、画像読取制御部２１０は、シェーディング補正などを行った後、ＩＤカード１０の他方面の読み取りを行って、ＩＤカード１０の他方面の画像データを画像メモリー２１４に蓄積する。
【００６４】
ステップＳ１０において、主制御部１１０は、画像処理部１１３に指示し、ＩＤカード１０の両面の画像データを合成させる。そして、主制御部１１０は、エンジン部（給紙部１０３、用紙搬送部１０４、画像形成部１０５、中間転写部１０６および定着部１０７）に指示し、ＩＤカード１０の両面の画像データ（合成後の画像データ）に基づく印刷を行わせる。
【００６５】
本実施形態の画像読取装置２００（画像形成装置１００）は、原稿Ｄ（ＩＤカード１０も含む）が載置される原稿載置面２２ａを有する載置読取用コンタクトガラス２２（コンタクトガラス）と、原稿載置面２２ａの主走査方向および副走査方向に延びる辺に沿って配置され、原稿載置面２２ａ内において原稿Ｄの隅を合わすべき予め定められた基準点ＳＰに原稿Ｄの隅を合わせるときの指標となる原稿スケール９１および９２（指標部）と、原稿載置面２２ａ側とは反対側に配置され、原稿載置面２２ａ上に載置された原稿Ｄの原稿載置面２２ａに向く面を読み取るイメージセンサー２６（読取部）と、原稿載置面２２ａ側とは反対側において副走査方向に移動可能に保持され、主走査方向に延びる線状光を載置読取用コンタクトガラス２２に向けて出射する光出射部２２（ＬＥＤランプ２３および導光体２４）と、を備えている。そして、原稿載置面２２ａ内の原稿スケール９１および９２から離れた所定点Ｐ２を基準点ＳＰとする場合（ＩＤコピーモードでコピージョブを実行する場合）、原稿Ｄの読み取りに先立って、光出射部２０は、光出射部２０から出射される線状光の載置読取用コンタクトガラス２２に対する照射領域と基準点ＳＰ（所定点Ｐ２）とが重なるように副走査方向に移動し、載置読取用コンタクトガラス２２に向けて線状光を出射する。
【００６６】
本実施形態の構成では、原稿載置面２２内の原稿スケール９１および９２から離れた所定点Ｐ２が基準点ＳＰとされる場合に、原稿Ｄの読み取りに先立って、載置読取用コンタクトガラス２２の基準点ＳＰ（所定点Ｐ２）に対応する位置を含む主走査方向に延びる領域が線状光で照射される。したがって、原稿載置面２２ａ内に現れる線状光（載置読取用コンタクトガラス２２を透過した線状光）によって、原稿載置面２２ａ内の原稿スケール９１および９２から離れた基準点ＳＰ（所定点Ｐ２）の副走査方向の位置が示される。その結果、原稿載置面２２ａ内の原稿スケール９１および９２から離れた基準点ＳＰ（所定点Ｐ２）に対する原稿Ｄの位置合わせを容易に行うことができる。
【００６７】
また、本実施形態では、上記のように、原稿載置面２２ａ上に載置された原稿Ｄ（ＩＤカード１０を含む）を読み取るとき、光出射部２０は、原稿載置面２２ａ上に原稿Ｄが載置された載置読取用コンタクトガラス２２に向けて線状光を出射する。そして、イメージセンサー２６は、原稿Ｄで反射された光を受光することによって原稿Ｄを読み取る。すなわち、原稿Ｄの読み取りを行うときにも、光出射部２０から出射される線状光を利用する。このように構成すれば、基準点ＳＰ（所定点Ｐ２）を示す線状光を出射するための専用の光出射部を別途設ける必要がない。このため、部品点数が増加することもないし、構造が複雑化することもない。
【００６８】
また、本実施形態では、上記のように、光出射部２０は、ＬＥＤランプ２３（光源）と、主走査方向に延びるように形成され、ＬＥＤランプ２３の光を線状光に変換して載置読取用コンタクトガラス２２に向けて出射する導光体２４と、を含む。そして、導光体２４がＬＥＤランプ２３の光を線状光に変換して載置読取用コンタクトガラス２２に向けて出射する。このように構成すれば、光出射部２０から載置読取用コンタクトガラス２２に向けて出射される光の副走査方向への広がりが抑制され、良好な線状光を光出射部２０から載置読取用コンタクトガラス２２に向けて出射することができる。これにより、基準点ＳＰ（所定点Ｐ２）の副走査方向の位置を原稿載置面２２ａ内に現れる線状光によって正確に示すことができる。
【００６９】
ここで、本実施形態の変形例（図９〜図１０に示した例）では、上記のように、ＬＥＤランプ２３は、導光体２４の主走査方向の一方端部側および他方端部側にそれぞれ１つずつ配置され、導光体２４は、基準点ＳＰ（所定点Ｐ２）の主走査方向の位置に対応する位置で分割されている。そして、光出射部２０から出射される線状光の載置読取用コンタクトガラス２２に対する照射領域と基準点ＳＰ（所定点Ｐ２）とが重なるように光出射部２０が副走査方向に移動したとき、導光体２４の主走査方向の一方端部側に配置されたＬＥＤランプ２３が発光する一方で、導光体２４の主走査方向の他方端部側に配置されたＬＥＤランプ２３は発光しない。すなわち、導光体２４の第１部分２４ａからは線状光が出射されるが、導光体２４の第２部分２４ｂからは線状光が出射されない。このように構成すれば、原稿載置面２２ａ内に現れる線状光の途切れている位置が基準点ＳＰ（所定点Ｐ２）の主走査方向の位置と略一致する。これにより、基準点ＳＰ（所定点Ｐ２）の主走査方向の位置も原稿載置面２２ａ内に現れる線状光によって示すことができる。
【００７０】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【００７１】
たとえば、図１３に示すように、光出射部２０とは別の光出射部３００をＣＩＳユニットＣＵに設けてもよい。光出射部３００は、ＬＥＤランプ３０１および導光体３０２を含む。ＬＥＤランプ３０１は、導光体３０２の主走査方向の一方端部側に配置され、導光体３０２に導入される光を発光する。導光体３０２は、ＩＤコピーモード用の基準点ＳＰ（所定点Ｐ２）の主走査方向の位置に対応する位置で切断されている。
【００７２】
そして、原稿載置面２２ａ内の原稿スケール９１および９２から離れた所定点Ｐ２を基準点ＳＰとする場合（ＩＤコピーモードでコピージョブを実行する場合）には、ＩＤカード１０の読み取りに先立って、光出射部３００（導光体３０２）から出射される線状光の載置読取用コンタクトガラス２２に対する照射領域とＩＤコピーモード用の基準点（所定点Ｐ２）とが重なるようにＣＩＳユニットＣＵが副走査方向に移動する。このとき、ＬＥＤランプ３０１は発光するが、ＬＥＤランプ２３は発光しない。すなわち、光出射部３００（導光体３０２）からは線状光が出射されるが、光出射部２０（導光体２４）からは線状光が出射されない。これにより、原稿載置面２２ａ内に現れる線状光によってＩＤコピーモード用の基準点ＳＰ（所定点Ｐ２）の副走査方向の位置が示される。さらに、原稿載置面２２ａ内に現れる線状光の途切れている位置がＩＤコピーモード用の基準点ＳＰ（所定点Ｐ２）の主走査方向の位置と略一致するので、ＩＤコピーモード用の基準点ＳＰ（所定点Ｐ２）の主走査方向の位置も原稿載置面２２ａ内に現れる線状光によって示されることになる（図１０に示した例と同じ）。
【００７３】
なお、原稿Ｄ（ＩＤカード１０を含む）の読み取りを行う場合には、光出射部２０（導光体２４）から出射される線状光を利用し、光出射部３００（導光体３０１）からは線状光を出射させない。
【符号の説明】
【００７４】
１０  ＩＤカード（原稿）
２０  光出射部
２２  載置読取用コンタクトガラス（コンタクトガラス）
２２ａ  原稿載置面
２３  ＬＥＤランプ（光源）
２４  導光体
２６  イメージセンサー（読取部）
９１、９２  原稿スケール（指標部）
１００  画像形成装置
２００  画像読取装置
Ｄ  原稿
Ｐ２  所定点
ＳＰ  基準点
【図１】
2014216924.tif 000003
【図２】
2014216924.tif 000004
【図３】
2014216924.tif 000005
【図４】
2014216924.tif 000006
【図５】
2014216924.tif 000007
【図６】
2014216924.tif 000008
【図７】
2014216924.tif 000009
【図８】
2014216924.tif 000010
【図９】
2014216924.tif 000011
【図１０】
2014216924.tif 000012
【図１１】
2014216924.tif 000013
【図１２】
2014216924.tif 000014
【図１３】
2014216924.tif 000015